(57)【要約】  軸線(X)を有するハンドル(2)と、このハンドル(2)の前端部(4)に配設された、一つ以上の刃を有する第1のシェービングヘッド(3)と、ハンドル(2)の後端部(7)に設けられたサポート(6)に配設された第2のシェービングヘッド(5)とを具備してなるレザー(1)において、サポート(6)は、ハンドル(2)に対して、第2のシェービングヘッド(5)を用いてシェービングが行えるようサポート(6)がハンドル(2)の後端部(7)から外側に突出した開ポジションと、サポート(6)がハンドル(2)内に格納された閉ポジションとの間で、回動可能となっている。
2008506480.tif 000002
【特許請求の範囲】
【請求項１】
軸線(Ｘ)を有するハンドル(２)と、
前記ハンドル(２)の前端部(４)に配設された、一つ以上の刃を有する第１のシェービングヘッド(３)と、
前記ハンドル(２)の後端部(７)に設けられたサポート(６)に配設された第２のシェービングヘッド(５)と、を具備してなるレザー(１)であって、
前記サポート(６)は、前記ハンドル(２)に対して、
・前記第２のシェービングヘッド(５)を用いてシェービングが行えるように、前記サポート(６)が前記ハンドル(２)の前記後端部(７)から外側に突出する開ポジションと、
・前記サポート(６)が前記ハンドル(２)内に格納された閉ポジションとの間で、回動可能となっていることを特徴とするレザー(１)。
【請求項２】
前記シェービングヘッド(３,５)は異なるサイズを有することを特徴とする請求項１に記載のレザー(１)。
【請求項３】
前記第１のヘッド(３)は基準幅(Ｗ３)を有し、一方、前記第２のヘッド(５)は、より小さな幅(Ｗ５)を有することを特徴とする請求項２に記載のレザー(１)。
【請求項４】
前記サポート(６)を、その閉ポジションにて保持するためのラッチング手段(１３)をさらに具備してなることを特徴とする請求項１ないし請求項３のいずれか１項に記載のレザー(１)。
【請求項５】
前記ハンドル(２)は、前記サポート(６)を、その閉ポジションにおいて収容するためのハウジング(１０)を協同で形成する二つの平行なアーム(８,９)を具備してなることを特徴とする請求項１ないし請求項４のいずれか１項に記載のレザー(１)。
【請求項６】
前記サポート(６)は、前記アーム(８,９)のそれぞれの端部同士の間に回動可能に配設されていることを特徴とする請求項５に記載のレザー(１)。
【請求項７】
前記サポート(６)を、その閉ポジションにて保持するためのラッチング手段(１３)を具備してなり、
前記ラッチング手段(１３)は、各アーム(８,９)の内面(１５)から突出するインデント(１４)を具備してなると共に、前記サポート(６)の側面(１６,１７)を付勢するようになっていることを特徴とする請求項５または請求項６に記載のレザー(１)。
【請求項８】
前記アーム(８,９)同士の間に延在するストッパー壁(１８)をさらに具備してなると共に、このストッパー壁(１８)に対して、前記サポート(６)がその閉ポジションにおいて当接するようになっていることを特徴とする請求項７に記載のレザー(１)。
【請求項９】
前記サポート(６)は、前記ハンドル軸線(Ｘ)と概ね直交する回動軸線(Ｙ)を有することを特徴とする請求項１ないし請求項８のいずれか１項に記載のレザー(１)。
【請求項１０】
各レザーヘッド(３,５)は、取り外し可能なカートリッジであることを特徴とする請求項１ないし請求項９のいずれか１項に記載のレザー(１)。
【発明の詳細な説明】
【技術分野】
【０００１】
本発明は、安全レザー(かみそり)に、さらに詳しくは二つのシェービングヘッドを備えたレザーに関する。
【背景技術】
【０００２】
身体のさまざまな体毛部位のシェービングを可能とするために、さまざまなサイズを有する少なくとも２種類のシェービングヘッドを含むレザーを提供するべく、さまざまな試みがなされてきた。
【０００３】
特許文献１(Garreker)には、第１および第２のハンドル部を有し、ハンドル部分の端部には第１および第２のレザーヘッドが設けられたレザーアセンブリが開示されている。ハンドル部分は回動可能に一つに配置されており、これによってヘッドは、ハンドル部分が、大きく離間したヘッドと共に概ね直線上に存在するポジションから、ハンドル部分が、互いに近接したヘッドと小さな鋭角をなすポジションへと動くことができる。
【０００４】
そうしたレザーの一つの欠点は、そのハンドルが、標準的なレザーハンドルの、ほとんど２倍の長さがあり、このためにレザーを都合よく把持するのが困難となっていることである。
【０００５】
特許文献２(Diakonov)には、通常サイズのレザーヘッドおよび格納可能な小型レザーヘッドを具備してなる安全レザーが開示されており、小型レザーヘッドは、第１のポジション(このポジションではそれは通常サイズのヘッドの背後に格納される)から、第２のポジション(このポジションではそれは、使用者の鼻の中心の下の部位を刈り込むのに使用するために通常サイズのヘッドの上に広げられる)へと動作することができる。
【０００６】
そうしたレザーの欠点は、その構造が非常に複雑であるということである。このために当該レザーの製造は困難であり、したがって非常に高価なものとなっている。
【特許文献１】米国特許第4,461,078号明細書
【特許文献２】米国特許第4,285,124号明細書
【発明の開示】
【発明が解決しようとする課題】
【０００７】
本発明の目的は、使い勝手(人間工学的な作り)が改善された、二つのシェービングヘッドを有するレザーを提供することである。
【課題を解決するための手段】
【０００８】
本発明によるレザーは、軸線を有するハンドルと、このハンドルの前端部に配設された、一つ以上の刃を有する第１のシェービングヘッドと、ハンドルの後端部に設けられたサポートに配設された第２のシェービングヘッドとを具備してなり、サポートはハンドルに対して、
・第２のシェービングヘッドを用いてシェービングが行えるように、サポートが、ハンドルの後端部から外側に突出した開ポジションと、
・サポートがハンドル内に格納された閉ポジションとの間で回動可能となっている。
【０００９】
閉ポジションでは、第２のシェービングヘッドは使えず、第１のシェービングヘッドのみをシェービングのために利用でき、一方、開ポジションでは、第２のシェービングヘッドがシェービングのために利用できる。
【００１０】
シェービングヘッドは異なるサイズを有することができる。たとえば、第１のヘッドは基準幅(この幅によって第１のヘッドを(たとえば頬ヒゲのシェービングといった)通常の用途のために使用できる)を有し、一方、第２のヘッドは小さな幅(この幅によって第２のヘッドを(たとえば顎ヒゲあるいは口ヒゲの刈り込みといった)特定の用途のために使用できる)を有する。
【００１１】
各レザーヘッドは、刃の切れ味が低下すると直ちに交換される取り外し可能なカートリッジであってもよい。
【００１２】
上記サポートを、その閉ポジションにて保持するためのラッチング手段を設けてもよい。
【００１３】
上記ハンドルは、たとえば、上記サポートを、その閉ポジションにおいて収容するためのハウジングを協同で形成する二つの平行なアームを具備してなる。
【００１４】
上記サポートは、アームのそれぞれの端部同士の間に回動可能に配設されてもよく、一方、ラッチング手段は、各アームの内面から突出しかつ上記サポートの側面を付勢するインデントを具備していてもよい。
【００１５】
さらに、本レザーは、上記アーム同士の間に延在するストッパー壁を具備していてもよく、このストッパー壁に対しては、上記サポートがその閉ポジションにおいて当接するようになっている。
【００１６】
上記サポートは、好ましくはハンドル軸線と概ね直交する回動軸線を有する。
【００１７】
本発明の上記ならびにその他の目的および利点は、図面に関連する本発明の好ましい実施形態に関する詳細な説明から明らかとなるであろう。
【発明を実施するための最良の形態】
【００１８】
図中、本発明によるレザーは、概して、参照数字１で指し示す。
【００１９】
レザー１はハンドル２を具備してなるが、このハンドル２は概ね平坦でかつ平行六面体形状を有し、かつ長手方向軸線Ｘに沿って延在している。
【００２０】
レザー１は、一つ以上の刃を備えた第１のシェービングヘッド３を具備してなるが、この第１のシェービングヘッド３はハンドル２の前端部４に配設されており、この結果、刃のエッジは、ハンドルの軸線Ｘと概ね直交するようになっている。
【００２１】
レザー１はまた、ハンドルの軸線Ｘと実質的に直交する一つ以上の刃を備えた第２のシェービングヘッド５を具備してなる。つまり、第１のヘッド３と第２のヘッド５とは平行である。
【００２２】
ヘッド３,５は異なるサイズを有する。すなわち第１のヘッド３は標準(基準)幅Ｗ３を有し、一方、第２のヘッド５は、Ｗ３よりも小さな幅Ｗ５を有する。
【００２３】
第１のヘッド３(以後、標準ヘッド３と呼ぶ)は通常のシェービング(あごひげ、脚)に使用され、一方、第２のヘッド５(以後、幅狭ヘッド５という)は、特定の体毛部位(たとえば口ヒゲまたは陰毛)の的確な刈り込みを容易にするよう操作しやすい寸法となっている。
【００２４】
図２に示すように、幅狭(小幅)ヘッド５は、ハンドルの後端部７において、このハンドルに設けられたサポート６に配設されており、しかもハンドルの軸線Ｘと直交する軸線Ｙを中心として、ハンドル２に対して、
・サポート６がハンドル２の後端部７から外側に突出している開ポジション(図２)と、
・上記サポートがハンドル２内に格納され、隠された閉ポジション(図１)との間で、回動可能である。
【００２５】
上記開ポジションでは、幅狭ヘッド５はシェービングのために利用可能であり、一方、上記閉ポジションでは、それは使えるところにはなく、したがってシェービングのために利用することはできない。
【００２６】
後端部７の近傍において、ハンドル２は二つの平行なアーム８,９を有するが、これらアーム８,９は軸線Ｘの方向に延在し、かつサポート６(これは、閉ポジションでは相補的様式でハウジング１０内に隠れるような形状を有する(図１、図５))を収容できるハウジング１０を協同で形成している。
【００２７】
図２および図５に示すように、回動サポート６は幅広端部((たとえばスピンドルを介して)この端部でサポート６はハンドル２に回動可能に配設されている)１１と、幅狭端部(これに対して幅狭ヘッド５が取り付けられる)１２とを有する。
【００２８】
レザー１はまた、サポート１１を、その格納ポジションで保持するためのラッチング(掛止)手段１３を具備してなる。ラッチング手段１３はインデント１４を具備してなるが、このインデント１４は、各アーム８,９の内面１５から突出しており、かつサポート６の対応する側面１６,１７を付勢しており、この結果、使用者が開ポジションから閉じ込んだサポート６を固定することができる。
【００２９】
ハンドル２は、その上面に、アーム８,９間に延在するストッパー壁１８を備えるが、これは部分的にハウジング１０を閉塞しており、しかも閉ポジションでは、このストッパー壁１８に対してサポート６が当接する。
【００３０】
したがって、ストッパー壁１８およびインデント１４は、サポート６を、その閉ポジションにおいて協同で保持する。
【００３１】
使用者は、これによって、自身にとって最も都合がよい標準ヘッド３または幅狭ヘッド８のいずれかを選択的に使用することが可能となる。
【００３２】
標準ヘッド３を使用しているとき、幅狭ヘッド５はハンドル２内に隠れており、この結果、レザーはコンパクトであってかつ使い勝手のよいものとなる。さらに、使用者が自身の指を幅狭ヘッド５で傷付けたり、あるいは刃を傷めたりするおそれはない。
【００３３】
幅狭ヘッド５を利用するためには、使用者は単にサポート６を押して、(図２の矢印Ａの方向に)開くだけでよい。
【００３４】
幅狭ヘッド５を使用している間、標準ヘッド３は、指を傷付けたりあるいはブレードを傷めたりするのを防止するために、保護キャップ(図示せず)を用いて覆うことができ、あるいはハンドル２内に格納することもできる。したがって、幅狭ヘッド５が使用ポジションにあるときには、標準ヘッド３はレザーハンドル２内で保護される。
【００３５】
使用者は、幅狭ヘッド５を用いてシェービングを行っている間、図１に示す閉ポジションと図２に実線で示す広開ポジションとの間のいかなるポジションででも、幅狭ヘッド５を用いてシェービングしている間に使用者がレザー１を保持するために望む様式に依存して、サポート６を保持できる。
【００３６】
たとえば、使用者は、サポート６を、図２に一点鎖線で示すポジション(このポジションではサポート６はハンドル２と直角をなす)で保持することができ、これによって使用者は、幅狭ヘッド５を用いたシェービングが、図２に矢印Ｂで示すように、ハンドル軸線Ｘと平行な方向に沿った動きによってなされるよう、ハンドル２および／またはサポート６を把持することが可能となる。
【００３７】
さらに、レザー１は完全に使い捨て可能であっても、あるいは再利用可能なハンドル２を有していてもよい。
【００３８】
最初の事例では、ヘッド３,５はハンドル２に対して恒久的に取り付けられ、エッジの切れ味が低下すると直ちに処分される。
【００３９】
第二の事例では、各ヘッド３,５は、サポート６に対して取り外し可能に取り付けられた交換可能なカートリッジからなり、エッジの切れ味が低下すると、カートリッジのみが処分されて、新しいものと交換される。当業者ならば既存の処分機構(たとえば米国特許第4,492,024号明細書参照)によって啓発されるであろう。
【図面の簡単な説明】
【００４０】
【図１】幅広シェービングヘッドおよび幅狭シェービングヘッドを有するレザーの斜視図であり、幅狭ヘッドがハンドル内に格納された閉ポジションを図示している。
【図２】図１のレザーの斜視図であり、幅狭シェービングヘッドを展開した開ポジションを図示している。
【図３】図１のレザーの平面図であり、その閉ポジションを図示している。
【図４】図１のレザーの側面図であり、その閉ポジションを図示している。
【図５】図１のレザーの底面図であり、その閉ポジションを図示している。
【符号の説明】
【００４１】
１  レザー
２  ハンドル
３  第１のシェービングヘッド
４  前端部
５  第２のシェービングヘッド
６  サポート
７  後端部
８,９  アーム
１０  ハウジング
１１  幅広端部
１２  幅狭端部
１３  ラッチング手段
１４  インデント
１５  内面
１６,１７  側面
１８  ストッパー壁
【図１】
2008506480.tif 000003
【図２】
2008506480.tif 000004
【図３】
2008506480.tif 000005
【図４】
2008506480.tif 000006
【図５】
2008506480.tif 000007
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
軸線(Ｘ)を有するハンドル(２)と、
前記ハンドル(２)の前端部(４)に配設された、一つ以上の刃を有する第１のシェービングヘッド(３)と、
前記ハンドル(２)の後端部(７)に設けられたサポート(６)に配設された第２のシェービングヘッド(５)と、を具備してなるレザー(１)であって、
前記サポート(６)は、前記ハンドル(２)に対して、
・前記第２のシェービングヘッド(５)を用いてシェービングが行えるように、前記サポート(６)が前記ハンドル(２)の前記後端部(７)から外側に突出する開ポジションと、
・前記サポート(６)が前記ハンドル(２)内に格納された閉ポジションとの間で、回動可能となっており、
前記ハンドル(２)は、前記サポート(６)を、その閉ポジションにおいて収容するためのハウジング(１０)を協同で形成する二つの平行なアーム(８,９)を具備しており、
前記サポート(６)は、前記アーム(８,９)のそれぞれの端部同士の間に回動可能に配設されており、
レザーは、前記サポート(６)を、その閉ポジションにて保持するためのラッチング手段(１３)を具備してなり、前記ラッチング手段(１３)は、各アーム(８,９)の内面(１５)から突出するインデント(１４)を具備してなると共に、前記サポート(６)の側面(１６,１７)を付勢するようになっていることを特徴とするレザー(１)。
【請求項２】
前記シェービングヘッド(３,５)は異なるサイズを有することを特徴とする請求項１に記載のレザー(１)。
【請求項３】
前記第１のヘッド(３)は基準幅(Ｗ３)を有し、一方、前記第２のヘッド(５)は、より小さな幅(Ｗ５)を有することを特徴とする請求項２に記載のレザー(１)。
【請求項４】
前記サポート(６)を、その閉ポジションにて保持するためのラッチング手段(１３)をさらに具備してなることを特徴とする請求項１ないし請求項３のいずれか１項に記載のレザー(１)。
【請求項５】
前記アーム(８,９)同士の間に延在するストッパー壁(１８)をさらに具備してなると共に、このストッパー壁(１８)に対して、前記サポート(６)がその閉ポジションにおいて当接するようになっていることを特徴とする請求項１ないし請求項４のいずれか１項に記載のレザー(１)。
【請求項６】
前記サポート(６)は、前記ハンドル軸線(Ｘ)と概ね直交する回動軸線(Ｙ)を有することを特徴とする請求項１ないし請求項５のいずれか１項に記載のレザー(１)。
【請求項７】
各レザーヘッド(３,５)は、取り外し可能なカートリッジであることを特徴とする請求項１ないし請求項６のいずれか１項に記載のレザー(１)。
【国際調査報告】
2008506480.tif 000008
2008506480.tif 000009
2008506480.tif 000010